(57)【要約】      （修正有）【課題】収納場所に困ることが無く、災害時には誰でもすぐに使用できる備蓄用ユニット敷物を提供する。【解決手段】備蓄用ユニット敷物１００は、衝突緩衝手段となる弾性を有するクッション層１２０と、人が座ったり寝転んだりするのに適した表面カバー１１０と、を有する。備蓄用ユニット敷物１００は、平時には、体育館、ホールまたは居室の内壁面に取り付けられて衝撃緩衝材となり、災害時には、内壁面から取り外して敷物として利用される。【選択図】図３
0003199411.tif 000002
【実用新案登録請求の範囲】
【請求項１】
体育館、ホールまたは居室の内壁面に取り外し可能に取り付けた状態で収納される備蓄用ユニット敷物であって、
当該備蓄用ユニット敷物は、
衝突緩衝手段となる弾性を有するクッション層と、
人が座ったり寝転んだりするのに適した表面カバーと、を有し、
当該備蓄用ユニット敷物は、
平時には、前記体育館、前記ホールまたは前記居室の前記内壁面に取り付けられて衝撃緩衝材となり、
災害時には、前記内壁面から取り外して敷物として利用される
ことを特徴とする備蓄用ユニット敷物。
【請求項２】
請求項１に記載の備蓄用ユニット敷物において、
前記表面カバーは、畳表、布、レザーおよび紙のうちから選択される
ことを特徴とする備蓄用ユニット敷物。
【請求項３】
請求項１または請求項２に記載の備蓄用ユニット敷物において、
前記備蓄用ユニット敷物のうら面には面ファスナーの一方が設けられ、
前記内壁面には面ファスナーの他方が設けられている
ことを特徴とする備蓄用ユニット敷物。
【請求項４】
体育館、ホールまたは居室の内壁面の床面から２００ｃｍの高さの範囲に、横方向に前記備蓄用ユニット敷物を収納する収納手段が設置されており、
請求項１から請求項３のいずれかに記載の備蓄用ユニット敷物は、横方向に列をなすように前記内壁面に取り付け収納される
ことを特徴とする備蓄用ユニット敷物の収納構造。
【請求項５】
請求項４に記載の備蓄用ユニット敷物の収納構造において、
体育館、ホールまたは居室の内壁面の床面から２００ｃｍの高さの範囲に、横方向に長尺の横木が設置されており、
前記横木に前記収納手段が取り付けられ、
請求項１から請求項３のいずれかに記載の備蓄用ユニット敷物は、横方向に列をなすように前記内壁面に取り付け収納される
ことを特徴とする備蓄用ユニット敷物の収納構造。
【請求項６】
請求項５に記載の備蓄用ユニット敷物の収納構造において、
前記収納手段は、
面ファスナー、
Ｌ字型またはコ字型の支持部材、および、
フック、のうちから選択される
ことを特徴とする備蓄用ユニット敷物の収納構造。
【請求項７】
請求項４または請求項５に記載の備蓄用ユニット敷物の収納構造において、
前記収納手段は、開閉可能であって内側に前記備蓄用ユニット敷物を一枚以上収納できる袋状マットである
ことを特徴とする備蓄用ユニット敷物の収納構造。
【請求項８】
請求項７に記載の備蓄用ユニット敷物の収納構造において、
前記袋状マットの内側面には、クッション性のある素材が設けられている
ことを特徴とする備蓄用ユニット敷物の収納構造。
【考案の詳細な説明】
【技術分野】
【０００１】
本考案は衝突緩衝材を兼ねる敷物に関する。具体的には、災害時の避難所で敷物として用いるクッション性のマットあるいはユニット畳に関する。
【背景技術】
【０００２】
地震や台風などの災害時、住民は避難所に避難する。各自治体は、災害に備え、避難所となる場所を何カ所か確保してある。避難所となるのは、多くの場合、公共の体育館であることが多い、すなわち、小、中学校や高校、大学の体育館や、公共のスポーツ施設に併設された体育館が避難所に指定されていることが多い。もちろん、公民館などのホールが避難所として利用されることもある。
【０００３】
体育館や公民館のホールというのは床がいわゆるフローリングになっており、すなわち、木材やリノリウム、石板が施工されている。体育館や公民館というのは、元来、人が直接床に座ったり寝転んだりすることを想定していない。したがって、災害時に住民が体育館や公民館に避難する場合には、座ったり寝転んだりしてくつろげるように何か敷物を敷かなければならない。現状、避難所で使用されている敷物としては、ビニールシートやダンボールといった簡素なものから、ユニットマット、ユニット畳といったものがある。あるいは、ロール畳といったものもある。
【先行技術文献】
【特許文献】
【０００４】
【特許文献１】実用新案登録第３１３８５５１号
【特許文献２】特開平９−２２４９８３号
【特許文献３】特開２０１０−１５４９１３号
【考案の概要】
【考案が解決しようとする課題】
【０００５】
自治体としては、急な災害に備えて各避難所に敷物を備蓄しておくことが当然に望ましい。避難住民が心地よさや安心感を得られるように、少し厚みがあって座り心地もよいマットのような敷物があればより望ましいであろう。しかしながら実際のところ、各避難所に敷物をしっかり備蓄しているところは少ない。その理由の一つは備蓄場所の問題である。
【０００６】
体育館や公民館に大量の敷物（マット）を用意しておくとして、備蓄場所が無い。例えば舞台の下というのがパイプ椅子等の保管場所になっていることもあるが、椅子や舞台設備に加えてさらに大量の敷物（マット）を保管するスペースを確保することは難しい。空間が有り余っている倉庫でもあればよいが、無理な要求であろう。
【０００７】
また、仮に舞台下や倉庫に空間があったとしても、敷物（マット）をただ積み上げておけばいいというものではない。大量のマットを備蓄場所（舞台下や倉庫）から避難場所に迅速に運搬してくる必要がある。したがって、例えば大型の台車を複数用意し、これら台車の上に敷物（マット）を積んだ状態で備蓄しておかなければ実際の災害時に用を為さない。大型の台車というのはそれ自体がスペースを取るし、費用も掛かる。
【０００８】
なお、空気で膨らますエアマットを用いるというアイデアもあるようであるが（特開２０１０−１５４９１３号）、急な災害時にエアマットを一つ一つ膨らましたり運んだりするというのも現実的とは言い難いであろう。
【０００９】
このような問題から、自治体としてはその必要性を十分理解していながらも、心地良い敷物（マット）を各避難所に備蓄しておくことができない。結果、ただでさえ不安な避難所生活に身体的な辛さが加わり、避難住民は心身とも苛酷な苦境をただじっと我慢して耐えねばならない。
【課題を解決するための手段】
【００１０】
本考案の備蓄用ユニット敷物は、
体育館、ホールまたは居室の内壁面に取り外し可能に取り付けた状態で収納される備蓄用ユニット敷物であって、
当該備蓄用ユニット敷物は、
衝突緩衝手段となる弾性を有するクッション層と、
人が座ったり寝転んだりするのに適した表面カバーと、を有し、
当該備蓄用ユニット敷物は、
平時には、前記体育館、前記ホールまたは前記居室の前記内壁面に取り付けられて衝撃緩衝材となり、
災害時には、前記内壁面から取り外して敷物として利用される
ことを特徴とする。
【００１１】
本考案では、
前記表面カバーは、畳表、布、レザーおよび紙のうちから選択される
ことが好ましい。
【００１２】
本考案では、
前記備蓄用ユニット敷物のうら面には面ファスナーの一方が設けられ、
前記内壁面には面ファスナーの他方が設けられている
ことが好ましい。
【００１３】
本発明の備蓄用ユニット敷物の収納構造は、
体育館、ホールまたは居室の内壁面の床面から２００ｃｍの高さの範囲に、横方向に前記備蓄用ユニット敷物を収納する収納手段が設置されており、
前記備蓄用ユニット敷物は、横方向に列をなすように前記内壁面に取り付け収納される
ことを特徴とする。
【００１４】
さらには、内壁面の床面から８０ｃｍ〜１８０ｃｍの高さの範囲に、横方向に前記備蓄用ユニット敷物を収納する前記収納手段が設置されていることが好ましい。
【００１５】
本発明では、
体育館、ホールまたは居室の内壁面の床面から２００ｃｍの高さの範囲に、横方向に長尺の横木が設置されており、
前記横木に前記収納手段が取り付けられ、
前記備蓄用ユニット敷物は、横方向に列をなすように前記内壁面に取り付け収納される
ことが好ましい。
【００１６】
さらには、内壁面の床面から８０ｃｍ〜１８０ｃｍの高さの範囲に、横方向に長尺の前記横木が設置されていることが好ましい。
【００１７】
本発明では、
前記収納手段は、
面ファスナー、
Ｌ字型またはコ字型の支持部材、および、
フック、のうちから選択される
ことが好ましい。
【００１８】
本発明では、
前記収納手段は、開閉可能であって内側に前記備蓄用ユニット敷物を一枚以上収納できる袋状マットである
ことが好ましい。
【００１９】
本発明では、
前記袋状マットの内側面には、クッション性のある素材が設けられている
ことが好ましい。
【図面の簡単な説明】
【００２０】
【図１】備蓄用ユニット畳の外観斜視図。
【図２】備蓄用ユニット畳のうら面を示す斜視図。
【図３】備蓄用ユニット畳の断面図。
【図４】備蓄用ユニット畳を体育館の壁面に収納した状態を示す図。
【図５】備蓄用ユニット畳を壁面から取り外して床に敷いた状態を示す図。
【図６】収納手段の構造を説明するための分解図。
【図７】壁に三段に備蓄用ユニット畳を収納した様子を示す図。
【図８】備蓄用ユニット畳を支持する支持部材を例示した図。
【図９】備蓄用ユニット畳を吊すフックを例示した図。
【図１０】備蓄用ユニット畳を収納する袋状マットを例示した図。
【図１１】備蓄用ユニット畳の他の形状を例示した図。
【考案を実施するための形態】
【００２１】
（第１実施形態）
本考案の第１実施形態を説明する。
機能に着目して本第１実施形態に名称を付すとすれば「衝突緩衝材を兼ねるユニット畳（敷物）」といった感じになるのであるが、呼称しやすいように本実施形態を「備蓄用ユニット畳」と称することにする。
【００２２】
この備蓄用ユニット畳は、平時には体育館等のホールの壁面に収納され、衝撃緩衝材として機能する。そして、災害時には、壁面から取り外して床に敷き、避難住民が座ったり寝転んだりするものである。以下、本考案の実施形態を図示するとともに図中の各要素に付した符号を参照して説明する。
【００２３】
図１は、本実施形態に係る備蓄用ユニット畳１００の外観斜視図である。
また、図２は、備蓄用ユニット畳１００のうら面を示す斜視図である。
備蓄用ユニット畳１００は、平面視するとその一辺が８００ｍｍから９００ｍｍ程度の矩形であり、側面視すると厚みが５０ｍｍから６０ｍｍ程度ある。
図１に示すように、おもて面側には畳表１１０を有し、うら面側には起毛状の不織布１４０を有する。
【００２４】
備蓄用ユニット畳１００の構造を説明する。
図３は、備蓄用ユニット畳１００の断面図である。
備蓄用ユニット畳１００を断面図で見ると、おもて面からうら面に向かって順に、畳表１１０、クッション層１２０、畳床１３０、不織布１４０が積層されている。畳表１１０は、天然の藺草で織られていてもよいが、素材としては化学繊維（例えばポリプロピレンなど）であってもよい。本考案の用途に鑑みると、液体がしみこんだりせず、衛生的で耐久性にも優れる化学繊維の方が好ましいと言える。
【００２５】
クッション層１２０は、厚みが１０ｍｍから２０ｍｍ程度の発泡樹脂である。クッション層１２０の素材としては、硬質ポリウレタンフォーム、ポリスチレンフォーム、ポリエチレンフォーム、ポリプロピレンフォーム、ＥＶＡフォーム、発泡ゴム、ポリオレフィン複合樹脂発泡体、フェノールフォーム等が挙げられる。ある程度の衝撃緩衝性を有していれば、上記の材料以外の材料であってもよい。
【００２６】
本実施形態の備蓄用ユニット畳１００は、衝突緩衝材を兼ねる敷物であるので、衝撃緩衝性と良好な座り心地とを兼ね備える必要がある。衝突緩衝性だけを考えればクッション層１２０を分厚くしたり柔らかくしたりしてもよい。しかし、分厚すぎたり柔らかすぎたりすると座り心地に問題が出てくる。したがって、備蓄用ユニット畳１００のトータルの厚みが５０−６０ｍｍとして、クッション層１２０の厚みは１０−３０ｍｍ程度とするのが好ましいと考えられる。好ましくは１０ｍｍから２０ｍｍ、さらには、１３ｍｍ−１５ｍｍ程度にするのがより好ましいであろう。
【００２７】
弾性性能としては、低反発のものよりは高反発性（高弾性）を有するものが望ましい。
【００２８】
畳床１３０としては良く知られたものであり、芯材を積層したいわゆる畳床１３０でよい。畳床１３０の厚みとしては、一般の畳に用いられる畳床１３０の厚みのより若干薄めにして、３０ｍｍから５０ｍｍ程度にするのが好適であると考えられる。高齢者や女性が簡単に持ち上げたり持ち運んだりできるように軽量化するためである。もちろん、備蓄用ユニット畳１００の一辺を小さくするといった工夫があってもよいが、小さすぎると座りにくくなるといった不都合も出てくる。全体の重量が３ｋｇから５ｋｇ、好ましくは４ｋｇ以下になるように畳床１３０の厚みを調整するのが好ましい。
【００２９】
畳床１３０のおもて側の面にクッション層１２０を貼り合わせ、クッション層１２０の上から畳表１１０を被せる。畳表１１０は、畳床１３０のうら面側で畳床１３０に縫い付け、または、貼り付けられる。
【００３０】
備蓄用ユニット畳１００のうら面にはループ状に起毛した不織布１４０が貼り付けられており、この不織布１４０は収納手段の一方として機能するものである。
なお、不織布１４０は、備蓄用ユニット畳１００が床面に敷かれたときには有効な滑り止めとしても機能することが期待できる。
【００３１】
次に、図４は、備蓄用ユニット畳１００を体育館３００の壁面３０２に収納した状態を示す図である。また、図５は、備蓄用ユニット畳１００を壁面３０２から取り外して床３０１に敷いた状態を示す図である。
【００３２】
体育館３００の壁には何らかの衝突緩衝手段が設けられているものである。例えば、実開平６−３２５６２号公報のように内装内壁面の構造自体に衝突緩衝機能が組み込まれていることもある。あるいは、クッション性のあるマットを壁に貼設することもある。一般的に、このような衝突緩衝手段は据え付け固定であり、付けたり外したりすることは想定されていない。
【００３３】
本実施形態においては、備蓄用ユニット畳１００を体育館３００の壁面３０２に収納しておき、災害時にはこれを外して使用するものである。
図６は、収納手段の構造を説明するための分解図である。
体育館３００の壁面３０２に、上下に８００ｍｍ程度のギャップを開けて２本の横木３１１、３１２をネジ止め３２０する。このとき、床面３０１から８０ｃｍぐらいのところに備蓄用ユニット畳１００を収納（設置）したいと考えて、下の横木３１２は床面３０１から８０ｃｍぐらいの高さにしておくとよい。
床３０１に近すぎたり、床３０１から高すぎたりしても衝撃緩衝の意味が無くなるからである。さらに、横木３１１，３１２の上にフック状に起毛した面ファスナー３３０を貼り付ける。あとは、備蓄用ユニット畳１００のうら面（不織布１４０）を面ファスナー３３０に押し付ければよい。
【００３４】
このような本実施形態によれば次の効果を奏する。
（１）平時には体育館３００の壁面３０２に貼り付けて収納すればよいのであるから、収納場所に困ることが無い。
（２）災害時には、誰でもすぐに壁面３０２から剥がして敷物として使用することができる。
また、使用後にはすぐに体育館３００の壁面３０２に貼り付ければよい。撤収作業も迅速簡便である。
【００３５】
（３）本実施形態の備蓄用ユニット畳１００を用意するのに自治体側の追加コストはそれほど多くない。児童や競技者の安全を図るため、体育館３００や公民館のホールの壁３０２には何らかの安全対策を講じなければならない。この安全対策が同時に災害対策を兼ねられるとすれば、災害対策のためだけに敷物を用意することに比べて余計なコストはほぼゼロといってもよい。
【００３６】
（４）本実施形態は、畳表１１０を有する。畳というのは避難住民に心地良さやくつろぎを提供できると期待できる。ダンボールやブルーシート、レジャーシートの上に何時間も何日も座ることに比べれば格段の違いであることは間違いない。
【００３７】
（５）畳表１１０は化学繊維素材（例えばポリプロピレンもしくは塩化ビニル）としているので、汚れにくく臭いもつかない。サッと拭くだけで汚れもとれて衛生的である。
【００３８】
（６）クッション層１２０は主として衝撃緩衝のために設けられているのであるが、発泡樹脂は断熱材としての機能もある。したがって、敷物として使用した際にはクッション層１２０の断熱性により、床面３０１からの底冷えを遮断することができる。
【００３９】
（変形例１）
本考案の変形例１を説明する。
上記実施形態では、体育館３００の壁３０２の中段に横一列に備蓄用ユニット畳１００を収納するとした。もちろん、備蓄量をもっとたくさんにしたければ、下段や上段にも備蓄用ユニット畳１００を収納するようにしてもよい。図７は、壁３０２に三段に備蓄用ユニット畳１００を収納した様子を示す図である。
【００４０】
（変形例２）
上記実施形態では、面ファスナー３３０を利用するとしたが、壁３０２に対して備蓄用ユニット畳１００を着脱可能に収納する手段は面ファスナー３３０に限られない。
例えば、図８に示すように、備蓄用ユニット畳１００の下辺と上辺を支持するような支持部材４１１、４１２を壁に設置してもよい。図８では、下側にはＬ字型で備蓄用ユニット畳１００の下辺を下支えする第１支持部材４１１を設けている。そして、上側には、略コ字型で、備蓄用ユニット畳１００の上辺をオーバーハングして支える第２支持部材４１２を設けている。
【００４１】
あるいは、図９に示すように、フック４２０で備蓄用ユニット畳１００を釣り下げるようにしてもよい。
【００４２】
あるいは、図１０に示すように、備蓄用ユニット畳１００を内側に収納できる袋状マット５００を体育館３００の壁面３０２に設けてもよい。袋状マット５００を体育館３００の壁面３０２に設けるにあたっては、例えば、面ファスナーを利用してもよい。この場合、袋状マット５００自体は壁面３０２から取り外す必要は無いので、一度固定したら取り外せない面ファスナーを利用するのが好ましい。もちろん、横木３１１、３１２を設置しなくても、体育館３００の壁面３０２に直接面ファスナーを設置してもよいだろう。
【００４３】
袋状マット５００は、例えば、ファスナー（線ファスナー）５０１で開閉できるようになっており、その内側に１−４枚程度の備蓄用ユニット畳１００を収納できるようになっている。もちろん、線ファスナーに代えて、面ファスナーでもよいし、スナップボタンでもよいし、ひもで結び止めするようにしてもよい。開閉する口は、袋状マット５００の横側面から上側面にかけて設けるのがよいと考えられるが、正面側にあってもよいし、横側面だけにあってもよいし、上側面だけにあってもよいだろう。
【００４４】
袋状マット５００に備蓄用ユニット畳１００を収納したときに、壁面３０２からの出っ張りを最大６５ｍｍ程度に抑えることが好ましい。従って、一つの袋状マット５００に収納する備蓄用ユニット畳１００の数は、備蓄用ユニット畳１００の厚みが５０ｍｍであれば一枚、備蓄用ユニット畳１００の厚みが２０ｍｍであれば３枚程度まで、備蓄用ユニット畳１００の厚みが１５ｍｍであれば４枚程度まで、にしておくのがよい。一つの袋状マット５００に収納する備蓄用ユニット畳１００の数が増えれば、それに応じて一つの備蓄用ユニット畳１００の厚みを薄くしてもよい。複数枚が重なったときに十分なクッション性を発揮できればよいのであるから、一つの備蓄用ユニット畳１００のクッション層１２０の厚みは薄くてもよい。
【００４５】
なお、第１実施形態では、備蓄用ユニット畳１００の一辺を８００ｍｍ−９００mm程度としたが、長辺の長さが８００ｍｍ−１９００ｍｍの長方形にしてもよい。
一枚の備蓄用ユニット畳１００で十分な衝突緩衝性を発揮するにはクッション層をある程度厚くする必要があると考えられ、したがって女性や子供でも持ち上がられる重量とすることを考えると一辺８００ｍｍ−９００ｍｍぐらいのほぼ正方形とすることが望ましいと考えられた。
これに対し、数枚で十分なクッション性を発揮できればよいと考えると、一枚の備蓄用ユニット畳１００は薄くてもよくなる。この場合、長辺が２０００mm（２メートル）程度になったとしても持ち上げ可能と考えられるからである。
【００４６】
また、袋状マット５００の内面には、クッション性のある素材を裏打ちしてもよい。備蓄用ユニット畳１００にも衝突緩衝機能があるが、袋状マット５００自体にもクッション性があれば、さらに安全性が向上する。
【００４７】
袋状マット５００の表面素材やデザインとしては、通常の衝突緩衝マットと同じにしてもよいし。この方が、通常（平時）は衝突緩衝マットとして違和感無く使用できるであろう。あるいは、袋状マット５００の表面デザインとして、畳み目やその他敷物の表面デザインをプリントしておいてもよい。こうすれば内側に備蓄用の敷物（備蓄用ユニット畳１００）が収納されていることが一目でわかる。
【００４８】
（変形例３）
上記実施形態では、備蓄用ユニット畳１００は平面視矩形であるとしたが、形状は限定されない。
例えば、図１１に示すように、円形でもよいし、さらには、ハート型、星形、五角形、六角形など多種多様な形状が考えられる。
【００４９】
（変形例４）
上記実施形態では畳表１１０をおもて面に設けるとしたが、敷物としては畳に限定されるものではない。おもて面は、畳表１１０以外でも、例えば、布（織物）やレザーでもよいのだし、合成樹脂のシート状カバーでもよい。
【００５０】
なお、本考案は上記実施の形態に限られたものではなく、趣旨を逸脱しない範囲で適宜変更することが可能である。
本考案は、避難所に備蓄しておくのに好適なユニット敷物であるが、用途は避難所用に限定されるものではない。例えば、一般住宅に利用してももちろんよい。例えば、リビングにアクセントパネル（インテリアパネル）として設置してもよい。あるいは、子供部屋の壁に本件ユニット敷物を設置しておいてもよい。子供の安全を確保できるし、子供が玩具（ブロックや電車のおもちゃ）を床に並べる際には敷物として利用してもよい。その他、公共施設のキッズスペースの壁にも適用できるであろう。
【００５１】
上記実施形態の説明では、横木３１１、３１２をネジ止め３２０によって体育館３００の壁面３０２に固定したが、横木３１１、３１２を体育館３００の壁面３０２に固定する方法はネジ止め３２０に限らない。例えば、横木３１１、３１２の裏面と体育館３００の壁面３０２とに面ファスナーを設けて、面ファスナーによって横木３１１、３１２を体育館３００の壁面３０２に固定してもよい。なお、この場合、横木３１１、３１２と体育館３００の壁面３０２との間の面ファスナーは一度固定したらもはや取り外せない強力な面ファスナーとする。（一方、横木３１１、３１２と備蓄用ユニット畳１００との間の面ファスナーは着脱可能な面ファスナーである。）
【符号の説明】
【００５２】
１００…備蓄用ユニット畳、１１０…畳表、１２０…クッション層、１３０…畳床、１４０…不織布、
３００…体育館、３０１…床、３０２…壁、
３１１、３１２…横木、３３０…面ファスナー、
４１１、４１２…支持部材、４２０…フック、
５００…袋状マット、５０１…ファスナー。
【図１】
0003199411.tif 000003
【図２】
0003199411.tif 000004
【図３】
0003199411.tif 000005
【図４】
0003199411.tif 000006
【図５】
0003199411.tif 000007
【図６】
0003199411.tif 000008
【図７】
0003199411.tif 000009
【図８】
0003199411.tif 000010
【図９】
0003199411.tif 000011
【図１０】
0003199411.tif 000012
【図１１】
0003199411.tif 000013